(57)【要約】【課題】傾斜床部上に障害部があっても、床表面が全面にわたって美しい水面であるかのような景観が得られ、且つ、傾斜床部上を歩行することができるようにする。【解決手段】表面に水流れ勾配を備えた傾斜床部１を設け、傾斜床部１の傾斜上手に、傾斜床部１の表面に水ｗを供給して水膜ｓを形成自在な給水部３を設け、傾斜床部１の傾斜下手に、傾斜床部１からの水ｗを排水自在な排水部４を設け、傾斜床部１に、水ｗの流下に障害となる障害部６を突出状態に設け、障害部６の周りの傾斜床部１部分において、少なくとも、傾斜下手側部分に、障害部６に隣接する溝７が形成してある。【選択図】図２
2011052468.tif 000002
【特許請求の範囲】
【請求項１】
表面に水流れ勾配を備えた傾斜床部を設け、
前記傾斜床部の傾斜上手に、前記傾斜床部の表面に水を供給して水膜を形成自在な給水部を設け、
前記傾斜床部の傾斜下手に、前記傾斜床部からの水を排水自在な排水部を設け、
前記傾斜床部に、前記水の流下に障害となる障害部を突出状態に設け、
前記障害部の周りの前記傾斜床部部分において、少なくとも、傾斜下手側部分に、前記障害部に隣接する溝が形成してある床構造。
【請求項２】
前記溝は、前記障害部の全周にわたって形成してある請求項１に記載の床構造。
【請求項３】
前記溝の底部分には、溝内の水を前記傾斜床部の傾斜下手側に誘導する勾配を形成してある請求項１又は２に記載の床構造。
【発明の詳細な説明】
【技術分野】
【０００１】
本発明は、表面に水流れ勾配を備えた傾斜床部を設け、傾斜床部の傾斜上手に、傾斜床部の上に水を供給する給水部を設け、傾斜床部の傾斜下手に、傾斜床部からの水を排水自在な排水部を設け、傾斜床部上の水の蒸散作用によって、傾斜床部や環境の温度低下を図れるように構成された床構造に関する。
【背景技術】
【０００２】
従来、この種の床構造としては、傾斜床部の上面に、導水材層と揚水材層とを積層させたロール状のシート材を設置し、給水部から供給した水でシート材の湿潤状態を維持させ、上述の通り水の蒸散作用によって傾斜床部や環境の温度低下を図れるように構成されたものがあった（例えば、特許文献１参照）。以後、第１従来技術という。
また、別の床構造としては、給水部からの水の供給量と、排水部への水の排水量を調整することで、傾斜床部の上に、例えば、水深が数ｃｍ程度の水層が形成されるように構成されたものがあった。以後、第２従来技術という。尚、この第２従来技術に関しては、当業者の間で広く知られているものであるが、該当する「床構造」に関して詳しく言及した特許文献などは見あたらないので、先行技術文献は示していない。
【先行技術文献】
【特許文献】
【０００３】
【特許文献１】特開２００５−１２６９９３号公報（図１〜３）
【発明の概要】
【発明が解決しようとする課題】
【０００４】
上述した第１従来技術の床構造によれば、床の表面には、シート材が位置しており、水そのものは、シート材の導水材層と揚水材層内を流下していくから、床表面の景観は、シート材の意匠性に左右され、第２従来技術の場合のように水面が自然に備えた美しさを再現することが困難である。
一方、第２従来技術の床構造によれば、床表面の意匠性という観点からは、水が流れる自然な水面の状況が再現されるから、好ましいものである。しかし、水深が、例えば、数ｃｍ程度もあるため、水に濡れる問題から、前記傾斜床部上を歩行することが困難である。
これらの両者の問題点を解消するには、第２従来技術において、給水部からの給水量を低下させ、傾斜床部の上面に、例えば、厚みが数ｍｍ程度（例えば、１０ｍｍ以下で、好ましくは、３〜４ｍｍ程度）の水膜が形成されるようにすることが考えられる。そうすることによって、床表面の景観は、水が流れる自然な水面の状況が再現されると共に、水層の厚みが薄いから、歩行しても足全体が水に浸かることがなく、傾斜床部上の歩行が可能となる。
しかし、給水部からの給水量が低下すれば、傾斜床部の水膜が、全面にわたって形成されない場合が発生する。この現象は、傾斜床部の一部に、例えば、植え込み等の突出状態に形成された箇所（水の流下の障害となる障害部）がある場合に、その箇所の傾斜下手側の傾斜床部部分に顕著に表れる。即ち、傾斜床部上を、給水部側から排水部側に向けて水が流れながら水膜を形成する際に、前記障害部が流れの障害となるから、その影の部分に水が行き渡らない現象が生じる。
その結果、傾斜床部上に、水膜の部分と、傾斜床部の表面が乾いたまま露出している部分とが混在することになり、美観性の低下につながる。
【０００５】
従って、本発明の目的は、上記問題点を解消し、傾斜床部上に障害部があっても、床表面が全面にわたって美しい水面であるかのような景観が得られ、且つ、傾斜床部上を歩行することもできる床構造を提供するところにある。
【課題を解決するための手段】
【０００６】
本発明の第１の特徴構成は、表面に水流れ勾配を備えた傾斜床部を設け、前記傾斜床部の傾斜上手に、前記傾斜床部の表面に水を供給して水膜を形成自在な給水部を設け、前記傾斜床部の傾斜下手に、前記傾斜床部からの水を排水自在な排水部を設け、前記傾斜床部に、前記水の流下に障害となる障害部を突出状態に設け、前記障害部の周りの前記傾斜床部部分において、少なくとも、傾斜下手側部分に、前記障害部に隣接する溝が形成してあるところにある。
【０００７】
本発明の第１の特徴構成によれば、傾斜床部に、水の流下に障害となる障害部を突出状態に設けてあるから、例えば、植え込みや、ベンチやモニュメント等の設置台が、前記障害部となる床構造を構成することができ、床としての機能向上や、美観性の向上を図ることができる。
また、障害部の周りの傾斜床部部分において、少なくとも、傾斜下手側部分に、障害部に隣接する溝が形成してあることで、給水部から供給された水が傾斜床部表面に沿って傾斜下手側に流下しながら水膜を形成するにあたり、障害部に到達した水は、前記溝に浸入し、やがて溝から溢れ出しながら、障害部の傾斜下手側の傾斜床部分に流出して、その部分の傾斜下手側にも水膜を形成することができる。従って、傾斜床部上に障害部があっても、床表面が全面にわたって美しい水面である景観が得られる。
また、当然の事ながら、傾斜面部上に形成される水膜は、その厚みが薄いため、傾斜床部上を歩行することもでき、あたかも、池や湖の水面を歩行しているかのような疑似体験をすることができる。
【０００８】
本発明の第２の特徴構成は、前記溝は、前記障害部の全周にわたって形成してあるところにある。
【０００９】
本発明の第２の特徴構成によれば、溝は、前記障害部の全周にわたって形成してあるから、給水部から供給されて障害部に到達した水は、傾斜上手側の前記溝で集められ、溝内を傾斜下手側に移動し、やがて溝から溢れ出しながら、障害部の傾斜下手側の傾斜床部分に流出して、その部分の傾斜下手側にも水膜を形成することができる。
従って、前記溝内に効率よく水を集めやすく、傾斜床部上に障害部があっても、床表面が全面にわたって美しい水面である景観を、速やかに得ることができる。
【００１０】
本発明の第３の特徴構成は、前記溝の底部分には、溝内の水を前記傾斜床部の傾斜下手側に誘導する勾配を形成してあるところにある。
【００１１】
本発明の第３の特徴構成によれば、溝の底部分には、溝内の水を傾斜床部の傾斜下手側に誘導する勾配を形成してあるから、傾斜床部から溝内に浸入した水を、より迅速に下流側に誘導することができ、傾斜床部上の水膜を、より速やかに全面にわたって形成することができる。
【図面の簡単な説明】
【００１２】
【図１】床構造を示す斜視図
【図２】床構造を示す断面図
【図３】植え込み部の周囲を示す平面図
【図４】植え込み部の周囲を示す断面図
【図５】別実施形態の床構造を示す平面図
【図６】別実施形態の床構造を示す平面図
【図７】別実施形態の床構造を示す平面図
【図８】別実施形態の床構造を示す要部断面図と平面図
【発明を実施するための形態】
【００１３】
以下に本発明の実施の形態を図面に基づいて説明する。
【００１４】
〔第１実施形態〕
図１、図２は、本発明の床構造の一実施形態を採用した中庭を示すものである。
中庭は、石張りによってほぼフラットな床Ｆとして形成されており、自由に通行可能に構成されている。
【００１５】
床Ｆは、その平面視において中央の矩形部分を、その周りの部分に比べて約１ｃｍ程度低い傾斜床部１として形成してあり、その傾斜床部１の表面に水膜ｓを形成できるように構成されている。
因みに、前記傾斜床部１の外側に隣接する床Ｆ部分は、段差が歩行の妨げになるのを緩和できるように、図２に示すように、面取部２を設けて足が引っ掛かり難いように構成してある。
【００１６】
前記傾斜床部１は、表面に水流れ勾配を備えている。
本実施形態においては、水流れ勾配は、１／１００程度に設定されている。
前記傾斜床部１の傾斜上手の辺部には、前記傾斜床部１の表面に水ｗを供給して水膜ｓを形成自在な給水部３を、辺部全長にわたって設けてある。
前記傾斜床部１の傾斜下手の辺部には、前記傾斜床部１からの水ｗを排水自在な排水部４を、辺部全長にわたって設けてある。
前記給水部３、排水部４の一例としては、それぞれに床表面に開口するスリット５を形成しておき、給水部３においては、スリット５を通して下方から傾斜床部１に水ｗを供給する一方、排水部４においては、傾斜床部１を流下してきた水ｗを、スリット５を通して床下の排水溝に流すように構成したものが挙げられる。
また、傾斜床部１には、図１、図２に示すように、複数の植え込み部（障害部に相当）６を点在させて設けてある。
【００１７】
前記植え込み部６は、図３に示すように、平面形状が円形に形成してあり、外周縁部の仕切壁６Ａは、前記傾斜床部１より上方に突出する状態に設けられている（図２参照）。仕切壁６Ａで囲まれた内側部分には、土が入れられて、植栽６Ｂが形成されている。
従って、当該植え込み部６は、傾斜床部１の表面を水ｗが流下する上では障害となる。
【００１８】
前記植え込み部６の周りの前記傾斜床部１部分には、植え込み部６の全周にわたって溝７が形成してある。
前記溝７の底面は、図４に示すように、前記傾斜床部１と同じ勾配の平面となるように構成されている。従って、溝７のなかに浸入した水ｗは、底面の勾配に沿って傾斜下手側に誘導され、溝の容量を超えると、傾斜下手側に流出して傾斜床部１の上に水膜ｓを形成する（図３参照）。
【００１９】
本実施形態の床構造によれば、前記給水部３から水ｗを出さない状態においては、通常の中庭としての床が形成される一方、前記給水部３から水ｗを吐出すると、傾斜床部１の傾斜上手側から水膜ｓの面が傾斜下手側に拡がり、前記排水部４に達するに伴って、傾斜床部１の上面を水膜ｓで覆うことができる。
本来は、水ｗが流下する上での障害となる植え込み部６も、その周りに前記溝７を形成してあることで、傾斜上手側から浸入する水ｗを、最も行き渡り難い植え込み部６の下手側に集めて傾斜床部１上に導くことができ、傾斜床部１の全面に水膜ｓを拡げることができる。
また、傾斜床部１の表面の景観としては、あたかも池であるかのような水面を感じることができながら、点在する植栽をも観賞できる。にもかかわらず、水膜ｓの厚みが数ｍｍ程度になるように、給水部３からの給水量が調整されているから、傾斜床部１上を歩行しても、履き物が水没することがない。
また、水ｗの供給料は、極めて少なくできながら、水ｗの蒸散作用による環境温度の低下を図ることができ、エネルギー効率よく、地球温暖化防止の一役を担うことができる。
【００２０】
〔別実施形態〕
以下に他の実施の形態を説明する。
【００２１】
〈１〉  前記傾斜床部１は、先の実施形態で説明したものに限るものではなく、例えば、素材は石材に限るものではなく、例えば、コンクリートやモルタルや、合成樹脂やガラス等であってもよく、要するに、床としての機能を果たせるものであればよい。
また、勾配に関しても、先の説明の傾斜に限るものではなく、例えば、勾配の値が先の実施形態のものと異なるものであったり、勾配の異なる複数の平面によって構成してあったり、勾配が場所によって変化する曲面であってもよい。要するに、傾斜上手側から下手側に水ｗが流れるような傾斜を備えていればよい。それらを総称して傾斜床部１という。
〈２〉  前記障害部６は、先の実施形態で説明した植え込み部に限るものではなく、例えば、飛石状に設けられた突出部であったり、ベンチや遊具の設置部であったり、他の構成であってもよい。要するに、前記傾斜床部１の表面上に突出状態に設けられて、傾斜床部１の表面上を流下する水ｗの流れの障害となるものを指す。
従って、障害部６の平面形状は、先の実施形態で説明した円形に限るものではなく、多角形や（図６、図７参照）、楕円形や、円形と楕円形と多角形の内の何れかを組み合わせた形状等、さまざまな形態を採用することができる。
〈３〉  前記給水部３、及び、排水部４は、先の実施形態で説明した構成に限るものではなく、広く実施されている他の構成を採用することも可能である。
〈４〉  前記溝７は、先の実施形態で説明したように、障害部６の全周にわたって形成してあることに限るものではなく、例えば、図５に示すように、前記障害部６の周りの傾斜床部１における傾斜下手側部分にのみ設けてあってもよい。要するに、溝７は、障害部６によって傾斜床部上の水ｗの流れが阻害される傾斜下手側部分（障害部の影の部分）に、傾斜床部１の表面を流れてくる水ｗを受け入れて誘導するものであればよい。
また、溝の底部分は、先の実施形態で説明したように、前記傾斜床部１と同じ勾配の平面となるように構成されていることに限らず、例えば、水平面として形成してあってもよい。ただ、溝内に浸入した水ｗを速やかに誘導するためには、溝内の水ｗを前記傾斜床部１の傾斜下手側に誘導する勾配を前記溝７の底部分に形成してあることが好ましい。この場合、溝の底部分の傾斜は、傾斜床部１の最大傾斜方向に必ずしも沿うものではなく、図６、図７に示すように、平面視において、傾斜床部１の最大傾斜方向に交差する方向に傾斜させてあってもよい。要するに、溝の中の水ｗを傾斜床部１の傾斜下手側に迅速に流すように形成してあればよい。
前記溝７の開口縁部（両開口縁部の内、特に、障害部６から遠い方の開口縁部）に、図８（ａ）に示すように、溝面取部７ａを形成してあってもよく、この溝面取部７ａを設けてあることで、障害部６より傾斜上手側においては、傾斜床部１の表面から溝７内へ水ｗを招き入れ易い。障害部６より傾斜下手側においては、溝７内の水ｗを、傾斜床部１の傾斜下手側部分（障害部の影の部分）に流下させ易くなり、傾斜床部１の全面にわたって水膜ｓを迅速に形成し易くなる。
前記障害部６の平面形状が円形の場合、図８（ｂ）に示すように、障害部６より傾斜下手側の溝部分の内、障害部６の影の範囲で、傾斜床部１の最大傾斜線の左右にそれぞれ６０度ずつの合計１２０度の範囲に、前記溝面取部７ａを設けるのが、水の誘導効果上、特に効果的である。
【００２２】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２３】
１      傾斜床部
３      給水部
４      排水部
６      植え込み部（障害部に相当）
７      溝
ｓ      水膜
ｗ      水
【図１】
2011052468.tif 000003
【図２】
2011052468.tif 000004
【図３】
2011052468.tif 000005
【図４】
2011052468.tif 000006
【図５】
2011052468.tif 000007
【図６】
2011052468.tif 000008
【図７】
2011052468.tif 000009
【図８】
2011052468.tif 000010